(57)【特許請求の範囲】
【請求項１】
貯蔵物を収納する貯蔵室と、前記貯蔵室に流入する冷気を生成する冷却器と、該冷気を前記貯蔵室に導く冷気通路とを備え、前記冷気通路の貯蔵側の少なくとも一部は表面から前方に突出または表面から後方に退避して上方に面した保持面を有する凹凸部が表面に形成される金属製の保湿部材から成り、前記保持面で水滴を溜めて保持するとともに、前記保持部材は表面の凹凸に対応する凹凸が裏面に形成されることを特徴とする冷蔵庫。
【請求項２】
貯蔵物を収納する貯蔵室と、前記貯蔵室に流入する冷気を生成する冷却器と、該冷気を前記貯蔵室に導くとともに前記貯蔵室と隔壁を介して設けられる冷気通路とを備え、前記隔壁の少なくとも一部は表面から前方に突出または表面から後方に退避した上方に面した面で水滴を溜めて保持するとともに表面張力により水滴を保持する切れ目で分断される凹凸部を表面に有した保湿部材から成ることを特徴とする冷蔵庫。
【請求項３】
前記保湿部材は前記冷気通路内を流通する冷気による冷熱の少なくとも一部を前記貯蔵室内に放出することを特徴とする請求項１または請求項２に記載の冷蔵庫。
【請求項４】
前記凹凸部は水平方向に延びて形成されることを特徴とする請求項１〜請求項３のいずれかに記載の冷蔵庫。
【請求項５】
前記凹凸部により文字、記号または図柄を形成したことを特徴とする請求項１〜請求項３のいずれかに記載の冷蔵庫。
【請求項６】
前記凹凸部はプレス加工により形成されることを特徴とする請求項１〜請求項５いずれかに記載の冷蔵庫。
【請求項７】
前記凹凸部は断面が曲面の凸部または凹部を有することを特徴とする請求項１〜請求項６のいずれかに記載の冷蔵庫。
【発明の詳細な説明】
【０００１】
【発明の属する技術分野】
本発明は冷気を貯蔵室内に送出する冷蔵庫に関する。
【０００２】
【従来の技術】
従来の冷蔵庫の部分側面断面図を図１６に示す。冷蔵庫１は外部を覆う外箱２ａの内側に内箱２ｂが配され、外箱２ａと内箱２ｂとの隙間には発泡ポリウレタン等の断熱材２ｃが充填されている。内箱２ｂにより覆われる冷蔵室１１の前面は断熱扉３により開閉可能になっている。
【０００３】
冷蔵室１１の下部には隔離室である氷温室１４が設けられ、その下方には野菜室１２が配されている。野菜室１２の前面がスライド式の断熱扉４により開閉可能になっている。冷蔵室１１と野菜室１２は樹脂成形品から成る仕切板３１、３２によって仕切られている。仕切板３２には貫通口３２ａが設けられている。
【０００４】
冷蔵室１１及び氷温室１４の背後には冷却器（不図示）により生成される冷気が流通する冷気通路２８が設けられている。冷蔵室１１の背面には冷気通路２８に面する部材４２が設けられている。氷温室１４の背面には断熱材３６を介して冷気通路２８に面する背面板３５が設けられている。
【０００５】
冷気は部材４２及び断熱材３６に設けられた開口部４２ａ、３６ａを介して冷蔵室１１に流入し、冷蔵室１１内を冷却する。そして、該冷気は自重により降下し、貫通孔３２ａから冷気通路３０を通って野菜室１２内に流入する空気流を形成する。これにより、野菜室１２内が冷却される。
【０００６】
また、部材４２は金属板等から成り、冷気通路２８を流通する冷気による冷熱を伝えて冷蔵室１１内に放出するようになっている。従って、冷蔵室１１は部材４２の一面から放出される冷熱により均一に冷却されるようになっている。更に、冷却器の停止中に、蓄積した冷熱を放出して冷蔵室１１内の保冷を行うようになっている。
【０００７】
【発明が解決しようとする課題】
しかしながら、上記の従来の冷蔵庫によると、冷蔵室１１内と冷気通路２８内との間の温度差が大きいと、部材４２の冷蔵室１１側の表面に結露が生じる。これにより冷蔵室１１内は乾燥する。結露による水滴は部材４２の表面を流下して氷温室１４の底部に溜る。
【０００８】
その後、氷温室１４の底部に溜った水滴は付近を通る空気流により蒸発する。蒸発による水蒸気は上記空気流に導かれ、貫通孔３２ａを通って野菜室１２内に流入する。この為、冷蔵室１１内は乾燥したままであり、冷蔵室１１に貯蔵される食品等が早く劣化する問題があった。この問題は、冷気による空気流が貫通孔を介して上下に配される複数の貯蔵室を冷却する場合において同様に生じる。
【０００９】
本発明は、貯蔵室内の乾燥を防止することのできる冷蔵庫を提供することを目的とする。
【００１０】
【課題を解決するための手段】
上記目的を達成するために本発明は、貯蔵物を収納する貯蔵室と、前記貯蔵室に流入する冷気を生成する冷却器と、該冷気を前記貯蔵室に導く冷気通路とを備え、前記冷気通路の貯蔵側の少なくとも一部は表面から前方に突出または表面から後方に退避して上方に面した保持面を有する凹凸部が表面に形成される金属製の保湿部材から成り、前記保持面で水滴を溜めて保持するとともに、前記保持部材は表面の凹凸に対応する凹凸が裏面に形成されることを特徴としている。
【００１１】
この構成によると、貯蔵室内と冷気通路内との温度差により結露が生じた場合の結露による水滴や、貯蔵室内の湿気は保湿部材により保持され、貯蔵室内と冷気通路内の温度が近づくに伴って該水滴等が蒸発して貯蔵室内を加湿する。
【００１２】
また本発明は、貯蔵物を収納する貯蔵室と、前記貯蔵室に流入する冷気を生成する冷却器と、該冷気を前記貯蔵室に導くとともに前記貯蔵室と隔壁を介して設けられる冷気通路とを備え、前記隔壁の少なくとも一部は表面から前方に突出または表面から後方に退避した上方に面した面で水滴を溜めて保持するとともに表面張力により水滴を保持する切れ目で分断される凹凸部を表面に有した保湿部材から成ることを特徴としている。
【００１３】
また本発明は、上記構成の冷蔵庫において、前記保湿部材は前記冷却通路内を流通する冷気による冷熱の少なくとも一部を前記貯蔵室内に放出することを特徴としている。この構成によると、冷気通路内を通る冷気の冷熱は保湿部材を伝わって貯蔵室内に放出される。
【００１５】
また本発明は、上記構成の冷蔵庫において、前記凹凸部は水平方向に延びて形成されることを特徴としている。
【００１６】
また本発明は、上記構成の冷蔵庫において、前記凹凸部により文字、記号または図柄を形成したことを特徴としている。
【００１７】
また本発明は、上記構成の冷蔵庫において、前記凹凸部はプレス加工により形成されることを特徴としている。
また本発明は、上記構成の冷蔵庫において、前記凹凸部は断面が曲面の凸部または凹部を有することを特徴としている。
【００１８】
【発明の実施の形態】
以下に本発明の実施形態を図面を参照して説明する。説明の便宜上、従来例の図１６と同一の部分については同一の符号を付している。図１は第１実施形態の冷蔵庫を示す側面断面図である。冷蔵庫１は外部を覆う外箱２ａの内側に内箱２ｂが配され、外箱２ａと内箱２ｂとの隙間には発泡ポリウレタン等の断熱材２ｃが充填されている。冷蔵庫１の内部は上から冷蔵室１１、野菜室１２、冷凍室１３の順に区分けされている。
【００１９】
野菜室１２と冷凍室１３は断熱部材から成る仕切枠１７及び断熱部材から成る仕切板１９に仕切られており、冷凍室１３は更に断熱部材から成る仕切枠１８により上部と下部に仕切られている。冷蔵室１１と野菜室１２は断熱部材から成る仕切枠１６及び樹脂成形品から成る仕切板３１、３２によって仕切られている。仕切板３２には貫通口３２ａが設けられている。
【００２０】
冷蔵室１１の下部には仕切板４６で仕切られる隔離室である氷温室１４が設けられている。冷蔵室１１には複数の棚４５が設けられている。冷蔵室１１の前面は回動式の断熱扉３により開閉可能になっている。野菜室１２、冷凍室１３の上部及び冷凍室１３の下部は前面がスライド式の断熱扉４、５、６により夫々開閉可能になっており、収納容器５４、５５、５６を引出せるようになっている。
【００２１】
冷凍室１３の後部には圧縮機２０が配されている。圧縮機２０には吐出パイプ２０ａを介して凝縮器（不図示）が連結されており、吸込パイプ２０ｂを介して冷却器２１、２５が直列に連結されている。凝縮器と冷却器２５は第１キャピラリーチューブ（不図示）を介して連結されている。冷却器２１、２５の間には第２キャピラリーチューブ（不図示）が配されている。
【００２２】
これにより冷凍サイクルが構成され、冷凍サイクル運転が行われると冷却器２１、２５が冷却されるようになっている。冷却器２１、２５の下方には冷却器２１、２５の除霜を行う除霜ヒータ６１、６２が設けられている。６３、６４はドレン受け部材である。
【００２３】
また、凝縮器と第１キャピラリーチューブとの間には切換手段が設けられ、切換手段と冷却器２１とが第３キャピラリーチューブ（不図示）を介して連結されている。そして、切換手段を切り替えることにより、冷却器２１のみの冷却を可能にしている。
【００２４】
冷却器２１は冷気通路２３内に配されており、冷気通路２３は内箱２ｂと樹脂成形品から成るエバカバー３３とにより形成されている。冷気通路２３内の冷却器２１の上方には送風機２２が配されている。冷気通路２３は背面板３３ａに設けられた冷凍室１３への流入口１３ａ及び流出口１３ｂにより冷凍室１３と連通している。
【００２５】
冷却器２５は冷気通路２７内に配されている。冷気通路２７の下部は内箱２ｂと野菜室１２の背面板３４とにより形成されている。背面板３４は断熱部材から成り、冷却器２５に近設される野菜室１２の過冷却を防止している。冷気通路２７内の冷却器２５の上方には送風機２６が配されている。冷気通路２７は流出口１２ｂにより野菜室１２と連通している。
【００２６】
冷気通路２７の上部は氷温室１４の背面板３５に固着される断熱部材３６と内箱２ｂとにより形成されている。断熱部材３６には開口部３６ａが設けられている。冷蔵室１１の正面図を図２に示すと、背面板３５には開口部３６ａと同じ位置に開口部３５ａが設けられている。開口部３５ａ、３６ａにより氷温室１４は冷気通路２７と連通している。
【００２７】
冷気通路２７の上端には送風機２９が配されている。送風機２９の前面には冷蔵室１１に臨む送風機カバー４１が取り付けられている。送風機カバー４１には複数の開口部４１ａが形成されている。送風機２９の上方には冷気通路２８が設けられている。
【００２８】
送風機２９部分の詳細図を図３に示すと、冷気通路２８は送風機２９により開口部４１ａを介して冷蔵室１１から取入れられる空気と、送風機２６により冷気通路２７を流通する冷気とが混流するようになっている。
【００２９】
冷蔵室１１の背面部分の冷気通路２８は冷蔵室１１の内壁を形成する部材４２と内箱２ｂとにより形成されている。前記部材４２は図５に示すような形状の熱伝導性を有する熱伝導部材（例えば、加工性が良く防錆効果の高いアルミニウム合金やステンレス等）から形成されている。
【００３０】
これにより蓄冷及び冷熱の放出を可能にしている。なお、前記熱伝導部材の厚みが厚い場合は蓄冷能力が上がり、強度も増加する。厚みが薄い場合は冷熱の放出効率が上がり、軽量化にも有利である。そのため、目的に応じて薄板材や厚板材を適時適所に選び設ければよい。
【００３１】
図６、図７の正面図及び断面図に示すように、部材４２の表面には、水平に延びる凹凸部４２ｊ、４２ｋがプレス加工等により断続的に設けられている。これにより、部材４２の強度を補強するとともに、表面積を増加させて蓄冷や冷熱の放出量を増加させ、冷却効率の向上が図られている。
【００３２】
更に、断熱扉３の開閉回数が多く冷蔵室１１内の温度や湿度が非常に上昇した際に、部材４２の表面で結露して冷蔵室１１内が乾燥する。この時、結露による水滴は流下せずに凸部４２ｊ’の上部に溜って保持される。また、凹凸部４２ｊによる模様の切れ目４２ｍで表面張力により保持される。
【００３３】
その後、冷却器２５で冷却された冷気通路２８内の冷気の送風を停止すると、部材４２の凹凸部４２ｊに捉えられた水滴が乾燥した冷蔵室１１内へ蒸発し、冷蔵室１１内を加湿する。従って、水分が冷蔵室１１から流出せず、冷蔵室１１内の湿度が保持され、部材４２は保湿部材として機能する。尚、凹部４２ｋ’を冷蔵室１１側に配すると水滴が溜りやすく、更に保湿能力が向上する。
【００３４】
また、図８及び図９に示すように、凹凸部４２ｊ、４２ｋを断続的な傾斜した模様により形成してもよい。このようにしても、結露による水滴は流下せずに凹凸部４２ｊによる模様の切れ目４２ｍで表面張力により保持される。
【００３５】
また、図１０に示すように、部材４２の冷蔵室１１側に「ビン詰コーナー」や「オードブルコーナー」等の文字や記号を突設或は凹設して凹凸部４２ｎを形成してもよく、ビンやオードブル等を形取った図柄を形成してもよい。これらによっても同様の効果を得ることができるとともに、使用者に視覚によるメッセージを伝えることができるので冷蔵庫の使用勝手が向上する。
【００３６】
部材４２の上端と下端部分の断面詳細図を図１１、図１２に示す。これらの図によると、部材４２は内箱２ｂに設けられたタップ板（不図示）とビス７２により内箱２ｂに固定される取付部材７１と、背面板３５に設けられた取付部３５ｂとにより係止される。取付部材７１のレバー部７１ａを手指で押上げると爪部７１ｂの係合が解除される。
【００３７】
この状態で部材４２の上部を手前に倒して、上方に引上げることにより部材４２を脱着でき、部材４２は着脱自在になっている。これにより冷気通路２８や部材４２の冷気通路２８側の清掃等を容易に行うことができるようになっている。尚、部材４２の下部は断熱部材３６に固着されるシール材７３により密閉されている。
【００３８】
部材４２の下端部分は図１３に示すようにしてもよい。即ち、背面板３５の上端に水溜り部３５ｄ（捕集部）を一体に成形し、部材４２を受けるように設置する。このようにすることにより、部材４２の凹凸部４２ｊ（図６参照）で保持できなかった水滴が流下しても水溜り部３５ｄに溜められる。そして、部材４２が冷蔵室１１内の温度に近づくと、水溜り部３５ｄに捉えられた水滴は蒸発し、冷蔵室１１内を加湿する。従って、冷蔵室１１内の水分の流出を更に防止することができる。
【００３９】
冷蔵室１１の天井部分の冷気通路２８は樹脂成形品から成る上面板４３と内箱２ｂにより形成されている。前記部材４２及び上面板４３には開口部４２ａ、４３ａ（図２参照）が設けられている。また、冷蔵室１１の天面中央部には透明な照明カバー５３で覆われる照明灯５１が設けられている。
【００４０】
冷蔵室１１の上面断面図を図４に示すと、前記部材４２は上下に延びて内箱２ｂに形成される突起部２８ａにより背面を支持されている。これにより、前面からの押圧力に対する前記部材４２の屈曲を防止するとともに、冷気通路２８内を通る冷気を整流して消音と送風効率の向上が図られている。また、冷気通路２８内には脱臭部５０が設けられている。脱臭部５０は活性炭等の脱臭剤から成っており、他の脱臭方法を実行できる部材や装置を配してもよい。
【００４１】
上記構成の冷蔵庫１において、送風機２２が駆動されると、冷凍室１３内の空気は流出口１３ｂから冷気通路２３に導かれる。該空気は冷却器２１と熱交換して冷却され、流入口１３ａから冷凍室１３に流入する。これにより冷凍室１３内が冷却される。
【００４２】
送風機２６、２９が駆動されると、野菜室１２内の空気は流出口１２ｂから冷気通路２７に導かれる。該空気は冷却器２５と熱交換して冷却され、開口部４１ａから冷気通路２８に導かれる冷蔵室１１内の空気と混流される。その後、冷気通路２８内を流通して開口部４２ａ、４３ａから冷蔵室１１内に流入する。また、冷気通路２８内を流通する冷気による冷熱の一部は部材４２を介して冷蔵室１１内に冷熱として放出される。これにより部材４２からの冷熱と開口部４２ａ、４３ａからの冷気とで冷蔵室１１内が効率良く均一に冷却される。
【００４３】
冷蔵室１１内の空気は棚４５の間や棚４５の前面を通り氷温室１４の下方から開口部３２ａを介して冷気通路３０を流通し、野菜室１２内の前方に流入する。更に収納容器５４の前面から下方を通り、野菜室１２内が冷却される。そして、流出口１２ｂから冷却器２５の下部に導かれて冷気が循環する。
【００４４】
温度センサー（不図示）の検知結果に基づいて圧縮機２０及び送風機２６が運転及び停止され、冷蔵室１１及び野菜室１２の温度を例えば３℃に維持するようになっている。尚、冷気通路２７内を流通する一部の冷気は開口部３５ａ、３６ａから氷温室１４に流入する。これにより、氷温室１４内をより低温に冷却し、例えば−１℃に維持できるようになっている。
【００４５】
また、冷却器２５での冷却を停止して送風機２６、２９の一方または両方を運転すると、部材４２に蓄積された冷熱により冷却通路２８を通る冷気が冷却される。そして、該冷気によって冷蔵室１１内の冷却が行われる。送風機２６を運転する場合は、更に冷却器２５の除霜をして冷蔵室１１内の加湿を行うこともできる。
【００４６】
本実施形態によると、部材４２は冷気通路２８を通る冷気の冷熱の一部を熱伝導させて全面から冷蔵室１１内に放出する熱伝導板として機能している。従って、冷蔵室１１は広い面積から一様に放出される冷熱により均一に冷却される。
【００４７】
また、部材４２を図１４に示すようなゼリー状や液状の保冷材４２ｃを包装材４２ｆ、４２ｇにより封入した蓄冷部材にしてもよい。包装材４２ｆ、４２ｇの表面には前述の図６に示すような凹凸部が形成されているが、図中、凹凸部は省略している。このようにすると、部材４２は冷気通路２８内を流通する冷気の冷熱でより蓄冷され、冷蔵室１１内の温度分布に応じて冷熱として放出する。従って、冷蔵室１１が均一に冷却されるようになる。
【００４８】
更に、蓄冷部材により圧縮機２０の停止中や冷気通路２８内の冷気温度の変動に対して吸熱や放熱を行い、冷気通路２８内の冷気温度を維持することができるようになる。この時、蓄冷部材が冷蔵室１１の内壁を形成しているので別途内壁を形成部材を設ける必要がなく、冷蔵室１１のスペースを広くして冷蔵庫１の省スペース化を図ることができる。包装材４２ｃ、４２ｄを熱伝導性を有するアルミニウム合金やステンレスにするとより望ましい。
【００４９】
そして、包装材４２ｆ、４２ｇの表面に前述の図６と同様の凹凸部４２ｊ、４２ｋを設けることにより、部材４２の強度を補強するとともに、表面積を増加させて蓄冷や冷熱の放出量を増加させ、冷却効率の向上が図られる。更に、結露による水滴を保持して蓄冷部材は保湿部材として機能し、冷蔵室１１内の乾燥を防止することができる。
【００５０】
また、冷却器２５によって低温に生成される冷気は冷蔵室１１内の空気と混合することにより若干昇温される。これにより、部材４２に生じる結露や氷結を防止することができ、冷蔵室１１及び野菜室１２の乾燥を防止することができる。
【００５１】
そして、冷蔵室１１及び野菜室１２を冷却する冷却器２５と冷凍室１３を冷却する冷却器２１を設けることにより、冷気通路２７、２８を流通する冷気の温度を冷気通路２３内の冷気の温度より高く設定することができる。これにより、部材４２に生じる結露や氷結をより防止することができ、冷蔵室１１及び野菜室１２の乾燥を更に防止することができる。
【００５２】
また、部材４２は冷蔵室１１の背面に立設されて上下方向に延在している。このため、部材４２に結露して水滴が生じても貯蔵物上に直接滴下することがない。従って、貯蔵物を傷めず、良好な保存状態を維持できる。さらに、前記部材４２の前方に空気流通可能な多孔性（例えば、小判穴、丸穴等）のフェンス状の防護壁を設けると、部材４２をさらに薄くできるので、冷熱の放出効果が向上し、キズ付防止や破損防止にもなる。
【００５３】
次に、図１５は第２実施形態の冷蔵庫を示す断面図である。説明の便宜上図１〜図１３の第１実施形態と同一の部分には同一の符号を付している。冷蔵庫１は外部を覆う外箱２ａの内側に内箱２ｂが配され、外箱２ａと内箱２ｂとの隙間には発泡ポリウレタン等の断熱材２ｃが充填されている。冷蔵庫１の内部は上から冷蔵室１１、野菜室１２、冷凍室１３の順に区分けされている。
【００５４】
野菜室１２と冷凍室１３は断熱部材から成る仕切枠１７及び断熱部材から成る仕切板１９に仕切られており、冷凍室１３は更に断熱部材から成る仕切枠１８により上部と下部に仕切られている。冷蔵室１１と野菜室１２は断熱部材から成る仕切枠１６及び樹脂成形品から成る仕切板３１、３２によって仕切られている。仕切板３２には貫通口３２ａが設けられている。
【００５５】
冷蔵室１１の下部には仕切板４６で仕切られる隔離室である氷温室１４が設けられている。冷蔵室１１には複数の棚４５が設けられている。冷蔵室１１の前面は回動式の断熱扉３により開閉可能になっている。野菜室１２、冷凍室１３の上部及び冷凍室１３の下部は前面が夫々スライド式の断熱扉４、５、６により開閉可能になっており、収納容器５４、５５、５６を引出せるようになっている。
【００５６】
冷凍室１３の後部には圧縮機２０が配されている。圧縮機２０には吐出パイプ２０ａを介して凝縮器（不図示）が連結されており、吸込パイプ２０ｂを介して冷却器２１が連結されている。凝縮器と冷却器２１はキャピラリーチューブ（不図示）を介して連結されている。
【００５７】
これにより冷凍サイクルが構成され、冷凍サイクル運転が行われると冷却器２１が冷却されるようになっている。冷却器２１の下方には冷却器２１の除霜を行う除霜ヒータ６２が設けられている。６４はドレン受け部材である。
【００５８】
冷却器２１は冷気通路２３内に配されており、冷気通路２３の下部は内箱２ｂと樹脂成形品から成るエバカバー３３とにより形成されている。冷気通路２３内の冷却器２１の上方には送風機２２が配されている。冷気通路２３は背面板３３ａに設けられた流入口１３ａ、１３ｃ及び流出口カバー３３ｂに設けられた流出口１３ｂにより冷凍室１３と連通している。
【００５９】
野菜室１２の背面は前述の仕切板１９に覆われており、冷気通路２３の上部の圧力室２３ａはエバカバー３３と仕切板１９とにより形成されている。断熱部材から成る仕切板１９により、冷却器２１に近設される野菜室１２の過冷却を防止している。
【００６０】
冷気通路２３は送風機２２の上方に配される冷気通路２８とダンパー６５を介して連通している。冷気通路２８の下部は氷温室１４の背面板３５に固着される断熱部材３６と内箱２ｂとにより形成されている。前述の図２と同様に、背面板３５と断熱部材３６には同じ位置に開口部３５ａ、３６ａが設けられている。開口部３５ａ、３６ａにより氷温室１４は冷気通路２８と連通している。
【００６１】
冷気通路２８の上部は冷蔵室１１の内壁を形成する部材４２と内箱２ｂとにより形成されている。部材４２は第１実施形態と同様に、アルミニウム合金やステンレス等の熱伝導性を有する部材から形成されている。そして、表面には前述の図６〜図１０と同様の凹凸部４２ｊ、４２ｋまたは凹凸部４２ｎが形成されている。
【００６２】
冷蔵室１１の天面部分の冷気通路２８は樹脂成形品から成る上面板４３と内箱２ｂにより形成されている。前記部材４２及び上面板４３には開口部４２ａ、４３ａ（図２参照）が設けられている。また、冷蔵室１１の天面中央部には透明な照明カバー５３で覆われる照明灯５１が設けられている。
【００６３】
上記構成の冷蔵庫１において、送風機２２が駆動されると、冷凍室１３内の空気は流出口１３ｂから冷気通路２３に導かれる。該空気は冷却器２１と熱交換して冷却され、流入口１３ａ、１３ｃから冷凍室１３に流入する。これにより冷凍室１３内が冷却される。
【００６４】
また、冷却器２１と熱交換した冷気はダンパー６５を介して冷却通路２８内を流通して開口部４２ａ、４３ａから冷蔵室１１内に流入する。これにより冷蔵室１１内が冷却される。また、冷気通路２８内を流通する冷気の冷熱の一部は部材４２を熱伝導して冷蔵室１１内に冷熱として放出される。これにより部材４２からの冷熱と開口部４２ａ、４３ａからの冷気により冷蔵室１１内が効率良く均一に冷却される。
【００６５】
冷蔵室１１内の空気は棚４５の間や棚４５の前面を通り氷温室１４の下方から開口部３２ａを介して冷気通路３０を流通し、野菜室１２内の前方に流入する。更に収納容器５４の前面から下方を通り、野菜室１２内が冷却される。そして、流出口（不図示）からダクト（不図示）を通り冷却器２１の下部に導かれて冷気が循環する。
【００６６】
冷蔵室１１の温度に応じてダンパー６５が開閉し、冷蔵室１１及び野菜室１２の温度を例えば３℃に維持するようになっている。尚、冷気通路２８内を流通する一部の冷気は開口部３５ａ、３６ａから氷温室１４に流入する。これにより、氷温室１４内をより低温に冷却し、例えば−１℃に維持できるようになっている。
【００６７】
本実施形態によると、第１実施形態と同様に、部材４２の表面には凹凸部４２ｊ、４２ｋ或は４２ｎが設けられ、部材４２の強度を補強するとともに、表面積を増加させて蓄冷や冷熱の放出量を増加させ、冷却効率の向上が図られる。更に、結露による水滴を保持して部材４２は保湿部材として機能し、冷蔵室１１内の乾燥を防止することができる。尚、部材４２を上記と同様に図１４に示すような蓄冷部材にしてもよい。
【００６８】
尚、本発明において、冷気通路を通る冷気による冷熱の一部が部材を介して貯蔵室内に放出されるとは、冷気通路を通る冷気の一部が部材から吸熱して該部材を冷却し、前記部材が貯蔵室内から吸熱して貯蔵室内を冷却することを意味する。
【００６９】
【発明の効果】
本発明によると、冷気通路内と貯蔵室内との温度差が大きい際等に結露により保湿部材に付着する水滴は、保湿部材により保持される。その後、冷気通路内と貯蔵室内との温度が近づくと、保湿部材に捉えられた水滴は蒸発し、貯蔵室内を加湿する。従って、水分が貯蔵室から流出せず、貯蔵室内の湿度を保持して乾燥を防止することができる。
【００７０】
また本発明によると、保湿部材は冷気通路を通る冷気の冷熱の一部を熱伝導或は蓄熱して全面から貯蔵室内に放出する。従って、貯蔵室は広い面積から一様に放出される冷熱により均一に冷却される。
【００７１】
また本発明によると、保湿部材の表面に設けられる凹凸部により、結露による水滴は流下せずに上部に貯溜或は表面張力により保持される。そして、保持された水滴が蒸発することにより、簡単に加湿し貯蔵室内の乾燥を防止することができる。更に、保湿部材の強度を補強するとともに、表面積を増加させて蓄冷や冷熱の放出量が増加し、冷却効率の向上が図ることができる。
【００７２】
また本発明によると、凹凸部を水平方向に形成するので、その上部に水滴を溜めて簡単に保湿を行うことができる。また本発明によると、凹凸部により文字、記号、図柄を形成するので、保湿を行うとともに、使用者に視覚によるメッセージを伝えることができ、冷蔵庫の使用勝手が向上する。
【００７３】
また本発明によると、保湿部材により捉えきれなかった水滴を捕集部により捕集するので、貯蔵室からの水分の流出を更に防止し、乾燥をより防止することができる。
【図面の簡単な説明】
【図１】    本発明の第１実施形態の冷蔵庫の側面断面図である。
【図２】    本発明の第１実施形態の冷蔵庫の冷蔵室の正面図である。
【図３】    本発明の第１実施形態の冷蔵庫の要部詳細図である。
【図４】    本発明の第１実施形態の冷蔵庫の上面断面図である。
【図５】    本発明の第１実施形態の冷蔵庫の部材を示す斜視図である。
【図６】    本発明の第１実施形態の冷蔵庫の部材を示す正面図である。
【図７】    本発明の第１実施形態の冷蔵庫の部材を示す断面図である。
【図８】    本発明の第１実施形態の冷蔵庫の他の部材を示す正面図である。
【図９】    本発明の第１実施形態の冷蔵庫の他の部材を示す断面図である。
【図１０】  本発明の第１実施形態の冷蔵庫の更に他の部材を示す正面図である。
【図１１】  本発明の第１実施形態の冷蔵庫の部材の要部断面図である。
【図１２】  本発明の第１実施形態の冷蔵庫の部材の要部断面図である。
【図１３】  本発明の第１実施形態の冷蔵庫の部材の要部断面図である。
【図１４】  本発明の第１実施形態の冷蔵庫の更に他の部材を示す斜視図である。
【図１５】  本発明の第２実施形態の冷蔵庫の側面断面図である。
【図１６】  従来の冷蔵庫の部分側面断面図である。
【符号の説明】
１    冷蔵庫
２ａ  外箱
２ｂ  内箱
３、４、５、６  断熱扉
１１    冷蔵室
１２    野菜室
１３    冷凍室
１４    氷温室
２０    圧縮機
２１、２５  冷却器
２２、２６、２９  送風機
２３、２７、２８、３０  冷気通路
２８ａ  突起部
３５    背面板
３５ｄ  水溜り部（捕集部）
３６    断熱部材
４２    部材
４２ｊ、４２ｋ、４２ｎ  凹凸部
５０    脱臭部
５１    照明灯
６１、６２  除霜用ヒータ
６５    ダンパー
【図１】
0003652183.tif 000002
【図２】
0003652183.tif 000003
【図３】
0003652183.tif 000004
【図４】
0003652183.tif 000005
【図５】
0003652183.tif 000006
【図６】
0003652183.tif 000007
【図７】
0003652183.tif 000008
【図８】
0003652183.tif 000009
【図９】
0003652183.tif 000010
【図１０】
0003652183.tif 000011
【図１１】
0003652183.tif 000012
【図１２】
0003652183.tif 000013
【図１３】
0003652183.tif 000014
【図１４】
0003652183.tif 000015
【図１５】
0003652183.tif 000016
【図１６】
0003652183.tif 000017